(57)【要約】【課題】この発明は、冷却ファンの交換時期をユーザに効果的に通知することにより、情報記録再生機器における情報記録動作の信頼性を保持させ、ユーザにとっての取り扱いを便利にして十分に実用に適するようにした冷却ファンの劣化度検出装置及び劣化度検出方法を提供することを目的としている。【解決手段】入力された情報を記録媒体（３６ａ）に対して記録再生する記録再生手段（３６）と、通電駆動され記録再生手段（３６）に対して放熱を行なう冷却ファン（４１）と、冷却ファン（４１）に流れる電流の変化に基づいて、当該冷却ファン（４１）の劣化度を複数の段階に分けて検出する検出手段（３２ｃ）と、検出手段（３２ｃ）で検出された各段階での冷却ファン（４１）の劣化度を通知する通知手段（３２ｄ）とを備える。【選択図】      図１
2009221931.tif 000002
【特許請求の範囲】
【請求項１】
入力された情報を記録媒体に対して記録再生する記録再生手段と、
通電駆動され前記記録再生手段に対して放熱を行なう冷却ファンと、
前記冷却ファンに流れる電流の変化に基づいて、当該冷却ファンの劣化度を複数の段階に分けて検出する検出手段と、
前記検出手段で検出された各段階での前記冷却ファンの劣化度を通知する通知手段とを具備することを特徴とする冷却ファンの劣化度検出装置。
【請求項２】
前記検出手段は、
前記冷却ファンに流れる電流値が大きくなり予め設定された所定の基準電流値を超えるようになってきたとき、冷却ファンの劣化度を第１段階と判断し、
前記冷却ファンに流れる電流値が前記基準電流値を超えない期間に対する超える期間の割合が予め設定された所定値になったとき、冷却ファンの劣化度を第２段階と判断し、
前記冷却ファンに流れる電流のリップル周波数が予め設定された所定の周波数よりも低くなったとき、冷却ファンの劣化度を第３段階と判断することを特徴とする請求項１記載の冷却ファンの劣化度検出装置。
【請求項３】
前記検出手段により前記冷却ファンの劣化度が第２段階と判断されたとき、前記記録再生手段に対する記録再生動作を制限し、前記検出手段により前記冷却ファンの劣化度が第３段階と判断されたとき、前記記録再生手段及び前記冷却ファンに対する電源電力の供給を停止させる制御手段を備えることを特徴とする請求項２記載の冷却ファンの劣化度検出装置。
【請求項４】
前記通知手段は、前記冷却ファンの劣化度が第１段階と判断されたときと第２段階と判断されたときに通知を行なうことを特徴とする請求項２記載の冷却ファンの劣化度検出装置。
【請求項５】
前記通知手段は、前記冷却ファンの劣化度が第１段階と判断されたときと第３段階と判断されたときに通知を行なうことを特徴とする請求項２記載の冷却ファンの劣化度検出装置。
【請求項６】
前記通知手段は、前記冷却ファンの劣化度が第２段階と判断されたときと第３段階と判断されたときに通知を行なうことを特徴とする請求項１記載の冷却ファンの劣化度検出装置。
【請求項７】
入力された情報を記録再生手段により記録媒体に対して記録再生する工程と、
通電駆動される冷却ファンにより前記記録再生手段に対して放熱を行なう工程と、
前記冷却ファンに流れる電流の変化に基づいて、当該冷却ファンの劣化度を複数の段階に分けて検出する工程と、
検出された各段階での前記冷却ファンの劣化度を通知する工程とを具備することを特徴とする冷却ファンの劣化度検出方法。
【発明の詳細な説明】
【技術分野】
【０００１】
この発明は、例えばＨＤＤ（hard disk drive）等を備えた情報記録再生機器に使用される冷却ファンの劣化度を検出する劣化度検出装置及び劣化度検出方法に関する。
【背景技術】
【０００２】
周知のように、首記の如き情報記録再生機器にあっては、一般に、そのＨＤＤに対して放熱を行なうための冷却ファンが搭載されている。すなわち、ＨＤＤは、その駆動中、冷却ファンによって放熱されることにより、情報の記録動作について一定レベルの信頼性が保持されるようになっている。
【０００３】
ところで、冷却ファンは、長期間使用していると、徐々に消費電流量が大きくなるとともに回転速度が低下し、最終的には停止してしまうことが知られている。このため、実際の運用上としては、冷却ファンの性能が徐々に劣化し、ＨＤＤに対して実質的な放熱効果を奏さなくなる前に、冷却ファンを交換する必要がある。
【０００４】
特許文献１には、動作中のファンの回転数を常時検出し、この検出された回転数が所定の基準回転数以下となっている状態が、所定の基準時間以上持続することが確認された場合に、ファンの寿命と判断してアラームを発生させるようにしたファン寿命検出装置の構成が開示されている。
【特許文献１】特開２００４−０２７９８７号公報
【発明の開示】
【発明が解決しようとする課題】
【０００５】
そこで、この発明は上記事情を考慮してなされたもので、冷却ファンの交換時期をユーザに効果的に通知することにより、情報記録再生機器における情報記録動作の信頼性を保持させ、ユーザにとっての取り扱いを便利にして十分に実用に適するようにした冷却ファンの劣化度検出装置及び劣化度検出方法を提供することを目的とする。
【課題を解決するための手段】
【０００６】
すなわち、この発明に係る冷却ファンの劣化度検出装置は、入力された情報を記録媒体に対して記録再生する記録再生手段と、通電駆動され記録再生手段に対して放熱を行なう冷却ファンと、冷却ファンに流れる電流の変化に基づいて、当該冷却ファンの劣化度を複数の段階に分けて検出する検出手段と、検出手段で検出された各段階での冷却ファンの劣化度を通知する通知手段とを備えるようにしたものである。
【０００７】
また、この発明に係る冷却ファンの劣化度検出方法は、入力された情報を記録再生手段により記録媒体に対して記録再生する工程と、通電駆動される冷却ファンにより記録再生手段に対して放熱を行なう工程と、冷却ファンに流れる電流の変化に基づいて、当該冷却ファンの劣化度を複数の段階に分けて検出する工程と、検出された各段階での冷却ファンの劣化度を通知する工程とを備えるようにしたものである。
【発明の効果】
【０００８】
上記した発明によれば、冷却ファンに流れる電流の変化に基づいて、当該冷却ファンの劣化度を複数の段階に分けて検出し通知するようにしたので、冷却ファンの交換時期をユーザに効果的に通知することができ、情報記録再生機器における情報記録動作の信頼性を保持させ、ユーザにとっての取り扱いを便利にして十分に実用に適するものとなる。
【発明を実施するための最良の形態】
【０００９】
以下、この発明の実施の形態について図面を参照して詳細に説明する。図１は、この実施の形態で説明するＨＤＤ内蔵のデジタル放送受信装置１１の主要な信号処理系を示している。
【００１０】
すなわち、ＢＳ（broadcasting satellite）／１１０度ＣＳ（communication satellite）デジタル放送受信用のアンテナ１２で受信した衛星デジタル放送信号は、入力端子１３を介して衛星デジタル放送用のチューナ部１４に供給されることにより、所望のチャンネルの放送信号が選局される。
【００１１】
そして、このチューナ部１４で選局された放送信号は、ＰＳＫ（phase shift keying）復調器１５に供給されてＴＳ（transport stream）が復調される。このＴＳは、ＴＳ処理部１６に供給されてデジタルの映像信号及び音声信号等に復号化された後、信号処理部１７に出力される。
【００１２】
また、地上波放送受信用のアンテナ１８で受信した地上デジタルテレビジョン放送信号は、入力端子１９を介して地上デジタル放送用のチューナ部２０に供給されることによって、所望のチャンネルの放送信号が選局される。
【００１３】
そして、このチューナ部２０で選局された放送信号は、ＯＦＤＭ（orthogonal frequency division multiplexing）復調器２１に供給されてＴＳが復調される。このＴＳは、上記ＴＳ処理部１６に供給されてデジタルの映像信号及び音声信号に復号化された後、上記信号処理部１７に出力される。
【００１４】
また、上記地上波放送受信用のアンテナ１８で受信した地上アナログテレビジョン放送信号は、入力端子１９を介して地上アナログ放送用のチューナ部２２に供給されることにより、所望のチャンネルの放送信号が選局される。そして、このチューナ部２２で選局された放送信号は、アナログ復調器２３に供給されてアナログの映像信号及び音声信号に復調された後、上記信号処理部１７に出力される。
【００１５】
ここで、上記信号処理部１７は、ＴＳ処理部１６から供給されたデジタルの映像信号及び音声信号に対して所定のデジタル信号処理を施し、グラフィック処理部２４及び音声処理部２５に出力している。また、この信号処理部１７は、上記アナログ復調器２３から供給されたアナログの映像信号及び音声信号をデジタル化し、そのデジタル化された映像信号及び音声信号に対して所定のデジタル信号処理を施した後、グラフィック処理部２４及び音声処理部２５に出力している。
【００１６】
このうち、グラフィック処理部２４は、信号処理部１７から供給されるデジタルの映像信号に、ＯＳＤ（on screen display）信号生成部２６で生成されるＯＳＤ信号を重畳して出力する機能を有する。また、このグラフィック処理部２４は、信号処理部１７の出力映像信号と、ＯＳＤ信号生成部２６の出力ＯＳＤ信号とを選択的に出力することや、両出力をそれぞれ画面の半分を構成するように組み合わせて出力することができる。
【００１７】
そして、グラフィック処理部２４から出力されたデジタルの映像信号は、映像処理部２７に供給される。この映像処理部２７は、入力されたデジタルの映像信号を、映像表示器２８で表示可能なフォーマットのアナログ映像信号に変換した後、映像表示器２８に出力して映像表示させるとともに、出力端子２９を介して外部に導出させる。
【００１８】
また、上記音声処理部２５は、入力されたデジタルの音声信号を、前記スピーカ３０で再生可能なフォーマットのアナログ音声信号に変換した後、スピーカ３０に出力して音声再生させるとともに、出力端子３１を介して外部に導出させる。
【００１９】
ここで、このデジタル放送受信装置１１は、上記した各種の受信動作を含むその全ての動作を制御部３２によって統括的に制御されている。この制御部３２は、ＣＰＵ（central processing unit）３２ａを内蔵しており、デジタル放送受信装置１１の本体に設置された操作部３３からの操作情報、または、リモートコントローラ３４から送出され受信部３５で受信した操作情報を受けて、その操作内容が反映されるように各部をそれぞれ制御している。
【００２０】
この場合、制御部３２は、メモリ部３２ｂを利用している。このメモリ部３２ｂは、主として、ＣＰＵ３２ａが実行する制御プログラムを格納したＲＯＭ（read only memory）と、該ＣＰＵ３２ａに作業エリアを提供するためのＲＡＭ（random access memory）と、各種の設定情報及び制御情報等が格納される不揮発性メモリとを有している。
【００２１】
また、この制御部３２には、ＨＤＤ３６が接続されている。この制御部３２は、ユーザによる操作部３３またはリモートコントローラ３４の操作、または、ＣＰＵ３２ａが実行する制御プログラムの指示に基づいて、上記ＴＳ処理部１６から得られるＭＰＥＧ（moving picture experts group）２−ＴＳのデジタル信号を、暗号化器・復号化器３７によって暗号化した後、ＨＤＤ３６に供給してハードディスク３６ａに記録させるように制御することができる。
【００２２】
さらに、この制御部３２は、ユーザによる操作部３３またはリモートコントローラ３４の操作、または、ＣＰＵ３２ａが実行する制御プログラムの指示に基づいて、上記アナログ復調器２３から得られるアナログの映像信号及び音声信号をエンコーダ３８によりＭＰＥＧ２−ＴＳに変換し、上記暗号化器・復号化器３７によって暗号化した後、ＨＤＤ３６に供給してハードディスク３６ａに記録させるように制御することができる。
【００２３】
また、この制御部３２は、ユーザによる操作部３３またはリモートコントローラ３４の操作、または、ＣＰＵ３２ａが実行する制御プログラムの指示に基づいて、ＨＤＤ３６によりハードディスク３６ａからＭＰＥＧ２−ＴＳを読み出させ、上記暗号化器・復号化器３７によって復号化した後、ＴＳ処理部１６に供給することによって、以後、上記した映像表示及び音声再生に供させるように制御することができる。
【００２４】
また、この制御部３２には、デジタル送受信部３９が接続されている。このデジタル送受信部３９は、ＵＳＢ（universal serial bus）規格に準拠したデジタルインターフェース機能を持つもので、入出力端子４０に接続された図示しないＵＳＢ機器と制御部３２との相互間でのデータ通信を可能にしている。
【００２５】
これにより、この制御部３４は、デジタル送受信部４０及び入出力端子４１を介してＨＤＤ１２に制御信号を送信し、ＨＤＤ１２を記録状態や再生状態に制御することが可能となる。
【００２６】
このため、制御部３２は、ＨＤＤ３６によりハードディスク３６ａに記録されているコンテンツを読み出し、この読み出したコンテンツをデジタル送受信部３９及び入出力端子４０を介して外部のＵＳＢ機器に送信することが可能となる。
【００２７】
さらに、制御部３２は、デジタル送受信部３９及び入出力端子４０を介して外部のＵＳＢ機器にコンテンツの取得を要求することができる。この場合、制御部３２は、要求したコンテンツを入出力端子４０及びデジタル送受信部３９を介して入力し、映像表示や音声再生に供させたり、ＨＤＤ３６のハードディスク３６ａに記録させたりすることが可能となる。
【００２８】
ここにおいて、上記制御部３２は、冷却ファン４１を駆動させている。この冷却ファン４１は、主として、ＨＤＤ３６がその記録再生時に発生する熱を外部に放出してＨＤＤ３６の冷却を行なうことにより、ＨＤＤ３６による情報の記録再生動作に対して、一定レベルの信頼性を保持させるようにしている。
【００２９】
なお、最近ではＨＤＤ３６のみならず、デバイスの高集積化でＴＳ処理部１６や信号処理部１７、グラフィック処理部２４、エンコーダ３８、暗号化器・復号化器３７、ＯＳＤ信号生成部２６といった部分の１チップ化が進んでおり、こういった１チップデバイス部分での発熱からの信頼性確保も重要になってきており、冷却ファンの製品信頼性に係わる役割は重要となってきている。以下では、ＨＤＤ３６の廃熱に着目して説明を続ける。
【００３０】
すなわち、上記制御部３２は、冷却ファン劣化度検出部３２ｃ及び冷却ファン劣化度通知部３２ｄを備えている。このうち、冷却ファン劣化度検出部３２ｃは、長期間の使用による冷却ファン４１の劣化度（正確にはファンを回転させるためのファンモータの劣化度であるが、ここでは、ファンモータも含めて冷却ファンと称する）を複数の段階に分けて検出し、各段階に応じた検出信号を冷却ファン劣化度通知部３２ｄに出力している。
【００３１】
これにより、冷却ファン劣化度通知部３２ｄは、冷却ファン劣化度検出部３２ｃから供給される、各段階に対応した検出信号に応じた内容のメッセージをＯＳＤ信号生成部２６に発生させ、映像表示器２８に表示させることにより、冷却ファン４１の劣化度をユーザに通知するようにしている。
【００３２】
図２は、上記冷却ファン劣化度検出部３２ｃの一例を示している。すなわち、上記デジタル放送受信装置１１は、その全体の供給電力を賄う電源部４２を備えている。そして、この電源部４２から得られる電力を冷却ファン用電源生成部４３に供給することにより、冷却ファン４１を駆動するための電力が生成されている。
【００３３】
ここで、冷却ファン用電源生成部４３で生成された冷却ファン４１用の電力は、冷却ファン劣化度検出部３２ｃの入力端子３２ｃ１、電流検出部３２ｃ２及び出力端子３２ｃ３を介して冷却ファン４１に供給され、冷却ファン４１の駆動に供されている。
【００３４】
この場合、上記電流検出部３２ｃ２は、冷却ファン４１に流れる電流値を測定し、その測定された電流値を電流比較部３２ｃ４の一方の入力端に供給している。この電流比較部３２ｃ４の他方の入力端には、予め設定された基準電流値Ｉrefが端子３２ｃ５を介して供給されている。
【００３５】
そして、上記電流比較部３２ｃ４では、電流検出部３２ｃ２から供給される電流値と、端子３２ｃ５に供給された基準電流値Ｉrefとを比較し、その比較結果を劣化度判定部３２ｃ６に出力している。この劣化度判定部３２ｃ６は、電流比較部３２ｃ４から供給された比較結果に基づいて、冷却ファン４１の劣化度を複数の段階に分けて検出し、各段階に応じた検出信号を、出力端子３２ｃ７を介して冷却ファン劣化度通知部３２ｄに出力している。
【００３６】
ここで、図３（ａ）は、２相ブラシレスタイプの一般的なファンモータに対して、定格電圧を印加した場合における定常回転時の電流変換波形と、予め設定された基準電流値Ｉrefとを示している。モータの特正上、２相であれば２つのコイルを順次切り換えて駆動させるため、その相切換の部分がリップルとして発生している。このため、このリップルの間隔をモータの回転速度ｆ１として見ることができる。なお、この説明では、２相モータであるため、リップルの間隔がモータの１／２回転相当となっている。
【００３７】
そして、定常回転時においては、図３（ａ）に示すように、冷却ファン４１に流れる電流値が、予め設定された基準電流値Ｉrefを超えることがないため、上記電流比較部３２ｃ４の出力は、図３（ｂ）に示すようにＬ（low）レベルとなっている。この電流比較部３２ｃ４の出力がＬレベルになっている状態では、上記劣化度判定部３２ｃ６は、冷却ファン４１が定常の駆動状態であると判断し、その旨の検出信号を発生する。このように、劣化度判定部３２ｃ６から冷却ファン４１が定常の駆動状態である旨の検出信号が発生された場合、上記冷却ファン劣化度通知部３２ｄは、冷却ファン４１の劣化度に関する何らのメッセージも映像表示器２８に表示させることはない。
【００３８】
冷却ファン４１を長期間使用すると、ブラシレスモータの場合、軸受けのベアリング部分が徐々に劣化していき、その結果、負荷電流が増加してくる。そして、図４（ａ）に示すように、冷却ファン４１に流れる電流値が基準電流値Ｉrefを超えてくると、電流比較部３２ｃ４の出力に、図４（ｂ）に示すようにＨ（high）レベルのパルスが得られるようになる。この場合、モータの回転速度も、ｆ１よりも遅いｆ２となる。
【００３９】
このように、電流比較部３２ｃ４の出力にＨ（high）レベルのパルスが得られるようになってきた場合、上記劣化度判定部３２ｃ６は、冷却ファン４１の劣化度が第１段階に達したと判断し、その旨の検出信号を発生する。このように、劣化度判定部３２ｃ６から冷却ファン４１の劣化度が第１段階である旨の検出信号が発生された場合、上記冷却ファン劣化度通知部３２ｄは、図５に示すように、「ファンの交換をお勧めします」なるメッセージを映像表示器２８に表示させる。
【００４０】
さらに、冷却ファン４１の劣化が進むと、図６（ａ）に示すように、冷却ファン４１に流れる電流値が基準電流値Ｉrefを超える時間が長くなり、図６（ｂ）に示すように、電流比較部３２ｃ４の出力のＬレベル期間に対するＨレベル期間の割合（デューティ比）が大きくなってくる。この場合、モータの回転速度も、ｆ２よりも遅いｆ３となる。
【００４１】
そして、上記劣化度判定部３２ｃ６は、電流比較部３２ｃ４の出力のＬレベル期間に対するＨレベル期間の割合が、予め設定された所定値を超えたとき、冷却ファン４１の劣化度が第２段階に達したと判断し、その旨の検出信号を発生する。このように、劣化度判定部３２ｃ６から冷却ファン４１の劣化度が第２段階である旨の検出信号が発生された場合には、冷却ファン４１がＨＤＤ３６に対して実用上十分な放熱効果を発揮できない程度に劣化しており、ＨＤＤ３６に対して記録再生動作の信頼性を一定レベルに確保することが困難な状況になっている。
【００４２】
このとき、上記冷却ファン劣化度通知部３２ｄは、図７に示すように、「ファン交換の時期です  録画に制限がかかります」なるメッセージを映像表示器２８に表示させる。このメッセージが表示される状態にあっては、上記制御部３２は、ＨＤＤ３６に対して、コンテンツの記録動作を行なわせないように記録制限をかける。
【００４３】
また、上記のように、冷却ファン４１の劣化度が第２段階に達したことが検出された場合、電流比較部３２ｃ４は、冷却ファン４１に流れる電流の単位時間当たりのリップル数をカウントして、リップル周波数（モータの回転速度に対応）の計測を開始する。
【００４４】
そして、さらに、冷却ファン４１の劣化が進み、リップル周波数が予め設定された所定の周波数より低くなったとき、つまり、図８（ａ）に示すように、モータの回転速度がｆ３よりも遅くなり、予め設定された所定のしきい値を超える速度ｆ４となったとき、上記劣化度判定部３２ｃ６は、冷却ファン４１の劣化度が最終段階である第３段階に達したと判断し、その旨の検出信号を発生する。
【００４５】
このように、劣化度判定部３２ｃ６から冷却ファン４１の劣化度が第３段階である旨の検出信号が発生された場合には、冷却ファン４１の寿命が尽きた状態、つまり、これ以上冷却ファン４１の継続動作を保証できない異常状態となっている。
【００４６】
このとき、上記冷却ファン劣化度通知部３２ｄは、図９に示すように、「ファンを交換して下さい  保護のため電源を遮断します」なるメッセージを映像表示器２８に表示させる。このメッセージが表示される状態にあっては、上記制御部３２は、上記電源部４２を制御して、デジタル放送受信装置１１に対して待機電力以外の電力供給を遮断するように制御する。
【００４７】
図１０は、上記した冷却ファン４１の劣化度を３段階に分けて検出して通知する処理動作をまとめたフローチャートを示している。すなわち、処理が開始（ステップＳ１１）され、ステップＳ１２で、デジタル放送受信装置１１の図示しない電源スイッチがオンされて、上記電源部４２から電源電力の供給が開始されると、上記冷却ファン劣化度判定部３２ｃは、ステップＳ１３で、冷却ファン４１に流れる電流値と基準電流値Ｉrefとを比較し、ステップＳ１４で、電流比較部３２ｃ４から冷却ファン４１に流れる電流値が基準電流値Ｉrefを超えたことによるＨレベルのパルスが発生されたか否かを判別する。
【００４８】
そして、Ｈレベルのパルスが発生されたと判断された場合（ＹＥＳ）、上記冷却ファン劣化度判定部３２ｃは、劣化度が第１段階に達した旨の検出信号を発生する。この検出信号を受けた冷却ファン劣化度通知部３２ｄは、ステップＳ１５で、図５に示したような、第１段階に対応するメッセージを表示させる。
【００４９】
その後、上記冷却ファン劣化度判定部３２ｃは、ステップＳ１６で、冷却ファン４１に流れる電流値と基準電流値Ｉrefとの比較結果のＬレベル期間に対するＨレベル期間の割合（デューティ比）が予め設定された所定値を超えたか否かを判別し、超えないと判断された場合（ＮＯ）、ステップＳ１５の処理に戻される。
【００５０】
そして、上記ステップＳ１６で超えたと判断された場合（ＹＥＳ）、上記冷却ファン劣化度判定部３２ｃは、劣化度が第２段階に達した旨の検出信号を発生する。この検出信号を受けた冷却ファン劣化度通知部３２ｄは、ステップＳ１７で、図７に示したような、第２段階に対応するメッセージを表示させる。このとき、制御部３２は、ＨＤＤ３６に対して記録動作を行なわせないように制限をかける。
【００５１】
その後、上記冷却ファン劣化度判定部３２ｃは、ステップＳ１８で、冷却ファン４１を流れる電流のリップル周波数が予め設定された所定のしきい値より低くなったか否か、つまり、モータの回転速度が予め設定された所定のしきい値より遅くなったか否かを判別すし、遅くなっていないと判断された場合（ＮＯ）、ステップＳ１７の処理に戻される。
【００５２】
また、上記ステップＳ１８で遅くなったと判断された場合（ＹＥＳ）、上記冷却ファン劣化度判定部３２ｃは、劣化度が第３段階に達した旨の検出信号を発生する。この検出信号を受けた冷却ファン劣化度通知部３２ｄは、ステップＳ１９で、図９に示したような、第３段階に対応するメッセージを表示させる。このとき、上記制御部３２は、ステップＳ２０で、デジタル放送受信装置１１に対して待機電力以外の電力供給を遮断するように制御する。
【００５３】
その後、制御部３２は、ステップＳ２１で、デジタル放送受信装置１１の電源スイッチがオフされたか否かを判別し、オフされていないと判断された場合（ＮＯ）、ステップＳ１９の処理に戻され、オフされたと判断された場合（ＹＥＳ）、処理を終了（ステップＳ２２）する。
【００５４】
上記した実施の形態によれば、冷却ファン４１の劣化度を複数の段階に分けて検出し、各段階に応じた内容のメッセージをユーザに通知するようにしたので、冷却ファン４１の寿命が尽きる前に事前にユーザがメンテナンスを施すことが可能となり、ＨＤＤ３６における記録動作の信頼性を保持することができるとともに、ユーザにとっての取り扱いを便利にして十分に実用に適するものとなる。
【００５５】
特に、ＨＤＤ３６に対する予約記録時は、ユーザのいない状態で、自動的に電源がオンされ、記録時間中、冷却ファン４１は動作することになる。この場合、冷却ファン４１のモータ回転数に変化が出てから停止してしまうまでの期間の予測は不可能であるため、突然の動作停止により予約記録の失敗を招くことになる。冷却ファン４１の劣化状況を段階的に警告し、事前に冷却ファン４１の交換を促すことにより、突然の動作停止を避け予約記録の失敗を防止することが可能となる。
【００５６】
また、上記した実施の形態では、冷却ファン４１の劣化度が第２段階に達したとき、ＨＤＤ３６に対して記録動作を行なわせないように制限をかけるようにしたが、この記録制限は、冷却ファン４１の劣化度が第２段階に達したことが検出された時点から、所定時間遅らせて実行させるようにすることもできる。
【００５７】
例えば、ユーザが複数の放送番組について記録予約を行なっており、図１１に示すような記録予約リスト上でタイトル１〜タイトル６の順に順次予約記録が行なわれる状況で、タイトル１の予約記録が実行される前に、冷却ファン４１の劣化度が第２段階に達したことが検出されたとする。
【００５８】
この場合、次に予約記録が行なわれるタイトル１から記録を制限するのではなく、３番目に予約記録が行なわれるタイトル３から記録制限を行なうようにする。図１１に示す記録予約リスト上においては、その右側に“Ｒ”として示す欄に、タイトル３〜タイトル６に“○”印を付して示すように、タイトル３以降が記録制限されることがユーザに通知される。このため、ユーザは、タイトル３の予約記録が開始される前までに冷却ファン４１の交換を行なえばよいことがわかる。
【００５９】
また、上記した実施の形態では、冷却ファン４１の劣化度を第１段階から第３段階の３つに分けて検出し、それぞれ通知するようにしたが、これに限らず、例えば、第１段階と第２段階、第１段階と第３段階、または、第２段階と第３段階のときに通知するようにしても良いことはもちろんである。
【００６０】
さらに、冷却ファン４１のモータ用電源ラインは電流容量も大きく、万一サージやラッチアップ等によりモータ内部で異常破壊が発生した場合、常時過電流が流れた状態に陥る場合がある。このとき、冷却ファン４１に流れる電流値は、基準電流値Ｉrefを超える値となり、電流比較部３２ｃ４の出力は、常時Ｈレベルとなる。この場合に、部品異常ということで、第３段階の劣化度に対応するメッセージをユーザに通知して、電源電力の供給を遮断することができる。
【００６１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６２】
【図１】この発明の実施の形態を示すもので、デジタル放送受信装置の主要な信号処理系を説明するために示すブロック構成図。
【図２】同実施の形態におけるデジタル放送受信装置の冷却ファン劣化度検出部の一例を説明するために示すブロック構成図。
【図３】同実施の形態におけるデジタル放送受信装置の定常時における冷却ファンを流れる電流値と基準電流値との関係を説明するために示す図。
【図４】同実施の形態におけるデジタル放送受信装置の第１段階の劣化時における冷却ファンを流れる電流値と基準電流値との関係を説明するために示す図。
【図５】同実施の形態におけるデジタル放送受信装置の冷却ファンの第１段階の劣化時におけるメッセージを説明するために示す図。
【図６】同実施の形態におけるデジタル放送受信装置の第２段階の劣化時における冷却ファンを流れる電流値と基準電流値との関係を説明するために示す図。
【図７】同実施の形態におけるデジタル放送受信装置の冷却ファンの第２段階の劣化時におけるメッセージを説明するために示す図。
【図８】同実施の形態におけるデジタル放送受信装置の第３段階の劣化時における冷却ファンを流れる電流値と基準電流値との関係を説明するために示す図。
【図９】同実施の形態におけるデジタル放送受信装置の冷却ファンの第３段階の劣化時におけるメッセージを説明するために示す図。
【図１０】同実施の形態におけるデジタル放送受信装置の主要な処理動作を説明するために示すフローチャート。
【図１１】同実施の形態におけるデジタル放送受信装置の記録予約された番組に対する記録制限の表示形態を説明するために示す図。
【符号の説明】
【００６３】
１１…デジタル放送受信装置、１２…アンテナ、１３…入力端子、１４…チューナ部、１５…ＰＳＫ復調器、１６…ＴＳ処理部、１７…信号処理部、１８…アンテナ、１９…入力端子、２０…チューナ部、２１…ＯＦＤＭ復調器、２２…チューナ部、２３…アナログ復調器、２４…グラフィック処理部、２５…音声処理部、２６…ＯＳＤ信号生成部、２７…映像処理部、２８…映像表示器、２９…出力端子、３０…スピーカ、３１…出力端子、３２…制御部、３２ａ…ＣＰＵ、３２ｂ…メモリ部、３２ｃ…冷却ファン劣化度検出部、３２ｃ１…入力端子、３２ｃ２…電流検出部、３２ｃ３…出力端子、３２ｃ４…電流比較部、３２ｃ５…端子、３２ｃ６…劣化ド判定部、３２ｃ７…出力端子、３２ｄ…冷却ファン劣化度通知部、３３…操作部、３４…リモートコントローラ、３５…受信部、３６…ＨＤＤ、３６ａ…ハードディスク、３７…暗号化器・復号化器、３８…エンコーダ、３９…デジタル送受信部、４０…入出力端子、４１…冷却ファン、４２…電源部、４３…冷却ファン用電源生成部。
【図１】
2009221931.tif 000003
【図２】
2009221931.tif 000004
【図３】
2009221931.tif 000005
【図４】
2009221931.tif 000006
【図５】
2009221931.tif 000007
【図６】
2009221931.tif 000008
【図７】
2009221931.tif 000009
【図８】
2009221931.tif 000010
【図９】
2009221931.tif 000011
【図１０】
2009221931.tif 000012
【図１１】
2009221931.tif 000013